(57)【特許請求の範囲】
【請求項１】
前面に開口する複数の窓孔から一部を露出させた状態で複数の電力量計を収納する収納盤本体と、収納盤本体前面における窓孔の周縁部位に収納盤本体の内側に落ち込む形で設けられた凹部と、電力量計の一部を露出する露出孔を有し背面側を凹部に挿入する形で着脱自在に窓孔に嵌着される複数の窓枠とを備え、収納盤本体の前面における窓孔の周縁部位に、窓孔に向かって収納盤本体の内側に傾斜する傾斜面を形成し、窓孔を挟んで対向する少なくとも一対の傾斜面の傾斜角度を互いに異ならせるとともに、窓孔に嵌着された状態で窓孔の周縁部位の傾斜面と略同一角度で傾斜する少なくとも一対の傾斜面を窓枠の前面における露出孔の周縁部位であって露出孔を挟んで対向する周縁部位に形成するとともに、収納盤本体の前面におけるそれぞれの窓孔の周縁部位の傾斜面形状を略同形状として成ることを特徴とする電力量計収納盤。
【発明の詳細な説明】
【０００１】
【発明の属する技術分野】
本発明は、窓孔から一部を露出させた状態で電力量計を収納する電力量計収納盤に関するものである。
【０００２】
【従来の技術】
従来、主幹開閉器や分岐開閉器等のブレーカを配設する箱体のフリースペースに電力量計を収納するようにした分電盤が提供されている（例えば、特開平９−１６３５２１号公報参照）。このものにおいては、箱体の上記フリースペースの前面側に大径及び小径のノックアウト孔を有するカバーが取着され、電力量計の寸法に応じた大径又は小径のノックアウト孔を形成してそのノックアウト孔から電力量計の一部（すなわち、電力量支持部が見える電力量計前面）を露出させるようになっている。なお、ノックアウト孔は平板状のカバーの一端側に近接して設けてあり、この一端側を下端としてカバーが箱体に取着される。
【０００３】
また、収納盤本体の平坦な前面に寸法の大きい電力量計に対応した窓孔を形成し、寸法の小さい電力量計に対応した露出孔を有する窓枠を上記窓孔に着脱自在に取着することで上記課題を解決するようにした電力量計収納盤が既に提案されている。かかる電力量計収納盤にあっては、窓枠が窓孔の周縁部の前面に一部が重なる形で窓孔周縁内部に引っ掛けて取着される。なお、箱体下部のブレーカの配線スペースを大きく確保するために、なるべく箱体上部に電力量計を配置する必要があり、そのために窓枠の上端から露出孔までの距離が一番近接する形に形成されている。
【０００４】
【発明が解決しようとする課題】
上記従来例では、カバーや窓枠を窓孔に対して上下逆に取着することがあり、しかも上下逆に取着されていることが判り難い場合があった。
【０００５】
本発明は上記問題に鑑みて為されたものであり、その目的とするところは、窓枠を誤った向きに取着するのを防止できる電力量計収納盤を提供することにある。
【０００６】
【課題を解決するための手段】
請求項１の発明は、上記目的を達成するために、前面に開口する複数の窓孔から一部を露出させた状態で複数の電力量計を収納する収納盤本体と、収納盤本体前面における窓孔の周縁部位に収納盤本体の内側に落ち込む形で設けられた凹部と、電力量計の一部を露出する露出孔を有し背面側を凹部に挿入する形で着脱自在に窓孔に嵌着される複数の窓枠とを備え、収納盤本体の前面における窓孔の周縁部位に、窓孔に向かって収納盤本体の内側に傾斜する傾斜面を形成し、窓孔を挟んで対向する少なくとも一対の傾斜面の傾斜角度を互いに異ならせるとともに、窓孔に嵌着された状態で窓孔の周縁部位の傾斜面と略同一角度で傾斜する少なくとも一対の傾斜面を窓枠の前面における露出孔の周縁部位であって露出孔を挟んで対向する周縁部位に形成するとともに、収納盤本体の前面におけるそれぞれの窓孔の周縁部位の傾斜面形状を略同形状として成ることを特徴とし、窓枠を窓孔周縁に誤った向きに取着すると窓孔周縁近傍の傾斜面と窓枠の露出孔周縁近傍の傾斜面との角度が異なることとなり、窓枠を誤った向きに取着していることが容易に判断できる。その結果、窓枠を誤った向きに取着するのを防止できる。しかも、収納盤本体に複数台の電力量計を収納する場合に何れの窓孔にも同じ窓枠を取り付けることができ、窓枠の共通化が図れて製造作業が容易になるとともに製造コストが抑制できる。
【０００８】
【発明の実施の形態】
以下、図１〜図１７を参照して本発明の一実施形態を詳細に説明する。
【０００９】
本実施形態の電力量計収納盤は、前面に開口する窓孔２１から一部を露出させた状態で電力量計６０を収納する収納盤本体と、電力量計６０の一部を露出する露出孔３１を有し窓孔２１の周縁に着脱自在に取り付けられる窓枠３０とを備えている。
【００１０】
収納盤本体は、絶縁性を有する合成樹脂製のベース１とカバー２０とで構成される。ベース１は、前面に電力量計６０が取着されるとともに電力量計６０に接続される電線４０を背面側から前面側に挿通する電線挿通孔４を有する矩形板状のベース本体２と、ベース本体２の周縁から背面側に垂設される板状の周壁部３と、ベース本体２を壁面のような造営面に取り付けるための取付ねじ（図示せず）が挿通されるねじ挿通孔５を有しベース本体２四隅の背面から周壁部３先端と略同一位置まで突出する略円筒形のボス部６とが一体に形成されている。また、ベース本体２の前面周縁には背面側に後退する段部７が全周にわたって形成されるとともに、ベース本体２前面のねじ挿通孔５周縁には少なくともボス部６の先端部の外形寸法よりも小さくない内径を有し且つ段部７と略同一寸法だけ背面側へ後退した平面視略円形の嵌合部８が形成してある。さらに、ベース本体２の中央上部にはだるま孔２ａが設けてあり、造営面に取り付けたねじ（図示せず）の頭部をこのだるま孔２ａに係止してベース１を仮止めすることができる。そして、仮止めされたベース１の４カ所のねじ挿通孔５に各々取付ねじを挿通し、これら４本の取付ねじによりベース１が造営面に固定される。
【００１１】
ここで、図６に示すような略円筒形の隠し部材１３がそれぞれ嵌合部８に着脱自在に嵌着される。隠し部材１３の上部周縁には突起１３ａが突設されるとともに下部前面には位置決め用の印１３ｂが形成されている。そして、嵌合部８の上部周面には突起１３ａを逃がすための逃げ部８ａが凹設されるとともに嵌合部８下方のベース本体２前面には隠し部材１３の印１３ｂに対応する位置決め用の印８ｂが形成してある。而して、印１３ｂ、８ｂを一致させることで隠し部材１３を嵌合部８に容易に位置決めして嵌合させることができ、隠し部材１３を嵌合して嵌合部８を塞ぐことで取付ねじの頭部がベース１の前面から見えなくなり、見栄えを良くすることができる。また、隠し部材１３を嵌合部８から取り外すときには、突起１３ａと逃げ部８ａとの隙間にマイナスドライバ等の治具を挿入してこじれば容易に取り外すことができる。
【００１２】
電力量計６０の下端側には電線４０が接続される端子部が設けられ、絶縁性を有する合成樹脂などから成る端子カバー６１によって上記端子部が覆われている。また、略Ｌ字状に折曲形成された取付金具６２が一端部において電力量計６０の上端面に溶着されている。ここで、取付金具６２のベース１と対向する面（電力量計６０の背面）にはだるま孔（図示せず）が形成されており、ベース本体２に形成された４つのねじ孔２ｂの何れかに螺合された固定ねじ（図示せず）の頭部が上記だるま孔に挿入係止される。また、ベース本体２には略へ字状のねじ挿通溝２ｃ，２ｃが設けてあり、ベース本体２の背面側からねじ挿通溝２ｃ、２ｃに挿通した固定ねじ（図示せず）を電力量計６０の背面に設けてあるねじ孔（図示せず）に螺合することでベース本体２の前面上部に電力量計６０が取着される。なお、上記４つのねじ孔２ｂの何れに固定ねじを螺合するかは電力量計６０の寸法に応じて決まる。
【００１３】
ベース本体２の前面下部に形成される電線挿通孔４は、中央壁４ａによって左右２つに分離されている。また、ベース本体２前面の電線挿通孔４，４の周縁にはベース本体２の背面側に後退する取付凹所９が形成されており、この取付凹所９に電線挿通孔カバー１０が嵌着される。電線挿通孔カバー１０は合成樹脂により矩形板状に形成され、左右の各電線挿通孔４，４に重なる位置に径が異なる２種類のノックアウト孔１０ａが各一対ずつ設けてある。また、ベース本体２の取付凹所９に形成された係止部９ａに係止される係止突起１０ｂが電線挿通孔カバー１０の上端面に４つ、下端面に２つずつ突設されており、これらの係止突起１０ｂを係止部９ａに係止することでベース本体２の取付凹所９に電線挿通孔カバー１０が着脱自在に嵌着される。なお、各一対のノックアウト孔１０ａに挟まれた電線挿通孔カバー１０の略中央部には、中央壁４ａの前面に突設された突条部４ｂが嵌合する長孔１０ｃが設けてある。
【００１４】
而して、ベース本体２の電線挿通孔４は電線４０の径に比べて充分大きい寸法に形成してあるから、電線４０が挿通された状態で電線挿通孔４には余分な隙間が生じてゴミや埃などが内部に侵入する虞があるが、電線挿通孔カバー１０によって電線挿通孔４の余分な隙間を塞ぐことでゴミや埃等の侵入を防ぐことができる。ここで、電線挿通孔４のノックアウト孔１０ａに電線４０を挿通するのであるが、比較的に径の大きい電線４０の場合には図４に示すように径の大きい方のノックアウト孔１０ａに挿通し、比較的に径の小さい電線４０の場合には図５に示すように径の小さい方のノックアウト孔１０ａに挿通すればよい。つまり、１種類の電線挿通孔カバー１０で径の異なる複数種類の電線４０に対応することができ、電線４０の径に対応した複数種類の電線挿通孔カバーを用意する必要が無くなってコストダウンが図れるものである。
【００１５】
一方カバー２０は、背面が開口する略箱形に形成されてベース１前面に取着されるものであり、前面上部には電力量計６０の一部が挿通されて露出する略矩形の窓孔２１が設けてある。カバー２０の上側開口端に一対の係止孔２２，２２が設けられ、下側面中央の開口端近傍からは固定ねじ（図示せず）が挿通される挿通孔２３ａを有する平面視略半円板状の突部２３が下方に突設されている。而して、ベース本体２の段部７にカバー２０の開口端縁を係合するようにしてベース１前面にカバー２０を被着すると、ベース本体２の上端側の段部７に突設されている係止突部１１，１１がカバー２０の係止孔２２，２２に挿入係止される。さらに、ベース１の周壁部３下側略中央に矩形板状の固定金具１２が一部を下方へ突出するようにして取着されており、カバー２０の突部２３が有する挿通孔２３ａに挿通された固定ねじを上記固定金具１２に穿孔されたねじ孔１２ａに螺合することでベース１とカバー２０が強固に固定される。
【００１６】
ところで、カバー２０前面の窓孔２１周縁には内側に落ち込む凹部２４が略全周にわたって設けてあり、この凹部２４に窓枠３０が着脱自在に取り付けられる。また、カバー２０前面の窓孔２１周縁近傍には窓孔２１に向かってカバー２０の内側に傾斜する傾斜面２５が形成され、このうち窓孔２１の上方に位置する傾斜面２５ａに対して窓孔２１の下方に位置する傾斜面２５ｂの傾斜角度を緩くしてある。
【００１７】
一方、窓枠３０は合成樹脂製であって電力量計６０の一部が挿通されて露出する矩形の露出孔３１を有し、前面には露出孔３１に向かって背面側に傾斜する傾斜面３２が形成され、露出孔３１を挟んで対向する一対の傾斜面３２ａ，３２ｂの傾斜角度がそれぞれカバー２０の窓孔２１周縁近傍の傾斜面２５ａ，２５ｂの傾斜角度に略一致させてある。また、窓枠３０の背面側周縁からはカバー２０の窓孔２１周縁に設けられた凹部２４に当接する板状の突出壁３３が背方に向けて垂設されるとともに、上下方向に対向する突出壁３３の両端近傍には凹部２４の先端部分に係止する係止爪３４ａを有する係止片３４がそれぞれ突出壁３３に沿って突設されている。なお、係止爪３４ａの先端部には窓枠３０の前面側に向かって外側へ傾斜するテーパ面３４ｂが形成されている。
【００１８】
而して、窓枠３０の背面側をカバー２０の窓孔２１に前方より挿入すると凹部２４の先端部に係止爪３４ａのテーパ面３４ｂが当接し、窓枠３０をカバー２０の方へ押し付けることでテーパ面３４ｂに沿って係止片３４が内側へ撓み、やがて凹部２４の先端部を係止爪３４ａが乗り越えて係止することによって窓枠３０が凹部２４に取り付けられ、カバー２０の窓孔２１に嵌着される（図７及び図１０参照）。なお、凹部２４と係止爪３４ａとの係止を解くことで窓枠３０をカバー２０から容易に取り外すことができる。
【００１９】
すなわち、電力量計６０の窓孔２１に挿通されて露出する部分の外形寸法が大きい場合には、窓枠３０を用いずにカバー２０の窓孔２１からそのまま電力量計６０の一部を挿通して露出させればよく、反対に電力量計６０の窓孔２１に挿通されて露出する部分の外形寸法が小さい場合には、図２に示すように窓孔２１に窓枠３０を取り付けて窓枠３０の露出孔３１に電力量計６０の一部を挿通して露出させればよい。このように窓枠３０をカバー２０の窓孔２１に着脱自在に取り付けることにより、寸法の異なる電力量計６０を自在に取り換えて見栄えよく収納することができる。しかも、露出孔３１を挟んで対向する一対の傾斜面３２ａ，３２ｂの傾斜角度がそれぞれカバー２０の窓孔２１周縁近傍の傾斜面２５ａ，２５ｂの傾斜角度に略一致させてあるので、図７に示すように窓孔２１に窓枠３０を取り付けた状態で窓枠３０の前面とカバー２０（収納盤本体）の前面とが面一となって両者の間に段差が生じず、従来例のように収納盤本体と窓枠との間に生じる段差にものが引っ掛かって窓枠が不用意に外れてしまうようなことを防ぐことができる。
【００２０】
ところで、窓枠３０は窓孔２１に対して上下逆向きに取り付けることも可能であるが、露出孔３１を挟んで対向する一対の傾斜面３２ａ，３２ｂの傾斜角度をそれぞれカバー２０の窓孔２１周縁近傍の傾斜角度が互いに異なる傾斜面２５ａ，２５ｂの傾斜角度に略一致させてあるから、窓枠３０を上下逆向きに取り付けた場合には、図１１に示すように窓孔２１の傾斜面２５ａ、２５ｂの傾斜角度と窓枠３０の傾斜面３２ａ，３２ｂの傾斜角度が一致しなくなり、窓枠３０を誤った向きに取り付けていることが容易に判断でき、窓枠３０が誤った向き（上下逆向き）に取り付けられるのを防ぐことができる。なお、窓枠３０に傾斜面３２ａ，３２ｂを形成することにより、平坦な場合に比較して窓枠３０の前面から背面にかけての厚み寸法が大きくなり、窓枠３０の強度が向上するという利点がある。
【００２１】
ところで、図１２に示すようにベース１’及びカバー２０’を左右方向に略２倍の寸法に形成するとともに同一形状の窓孔２１’，２１’をカバー２０’前面上部に並設して、２台の電力量計６０，６０が収納できるようにしてもよい。このように複数の電力量計６０を収納するようにすれば、１台の電力量計６０を収納する電力量計収納盤を複数台使用するよりもコストダウンが図れる。このとき、カバー２０’の各窓孔２１’，２１’周縁近傍に形成される傾斜面２５’の形状を同一形状とすれば、何れの窓孔２１’，２１’にも同じ窓枠３０を取り付けることができ、窓枠３０の共通化が図れて製造作業が容易になるとともに製造コストが抑制できるという利点がある。
【００２２】
ところで、ベース１が取り付けられる壁材のような造営材の厚みが小さく且つ電線４０の径が造営材の厚みに比較して大きい場合には、電線４０を造営材の孔から引き出す際に折曲し難く、電線４０をベース１の電線挿通孔４に挿通することができないことがある。このような場合に造営材の厚みを補うためにベース１と造営面との間にスペーサを介在させることも考えられるが、そうすると造営材の厚みに応じて予備のスペーサを一々作成しなければならず、スペーサ専用の金型が必要で製造コストがアップするという欠点がある。
【００２３】
そこで本実施形態では、ベース本体２の前面周縁に全周にわたって段部７を形成するとともに、ボス部６の先端部の外形寸法よりも小さくない内径を有し且つ段部７と略同一寸法だけ背面側へ後退した嵌合部８を形成している。すなわち、図１６及び１７に示すようにベース１の前面に他のベース１を重ね合わすと後方のベース１の段部７に前方のベース１の周壁部３が係合するとともに後方のベース１の嵌合部８に前方のベース１のボス部６の先端部が嵌合し、この状態で図１５に示すように各ベース１，１の電線挿通孔４に電線４０を挿通して前方のベース１に取着された電力量計６０に電線４０を接続することができる。故に、造営材の厚みが小さく且つ電線４０の径が造営材の厚みに比較して大きい場合であっても、ベース１，１を重ね合わせることで電線４０が折曲し易くなり、上述のようにスペーサ等の別部材を用いる必要がなく、コストをアップせずに厚みの小さい造営面にも対応することが可能となる。なお、後方のベース１の段部７に前方のベース１の周壁部３を係合するとともに後方のベース１の嵌合部８に前方のベース１のボス部６の先端部を嵌合しているので、重ね合わせた２つのベース１，１がずれるのを防ぐことができるとともに、周壁部３，３の間に段差が生じることが無く見栄えが良くなるという利点がある。
【００２４】
【発明の効果】
請求項１の発明は、前面に開口する複数の窓孔から一部を露出させた状態で複数の電力量計を収納する収納盤本体と、収納盤本体前面における窓孔の周縁部位に収納盤本体の内側に落ち込む形で設けられた凹部と、電力量計の一部を露出する露出孔を有し背面側を凹部に挿入する形で着脱自在に窓孔に嵌着される複数の窓枠とを備え、収納盤本体の前面における窓孔の周縁部位に、窓孔に向かって収納盤本体の内側に傾斜する傾斜面を形成し、窓孔を挟んで対向する少なくとも一対の傾斜面の傾斜角度を互いに異ならせるとともに、窓孔に嵌着された状態で窓孔の周縁部位の傾斜面と略同一角度で傾斜する少なくとも一対の傾斜面を窓枠の前面における露出孔の周縁部位であって露出孔を挟んで対向する周縁部位に形成するとともに、収納盤本体の前面におけるそれぞれの窓孔の周縁部位の傾斜面形状を略同形状として成るので、窓枠を窓孔周縁に誤った向きに取着すると窓孔周縁近傍の傾斜面と窓枠の露出孔周縁近傍の傾斜面との角度が異なることとなり、窓枠を誤った向きに取着していることが容易に判断でき、その結果、窓枠を誤った向きに取着するのを防止できるという効果がある。しかも、収納盤本体に複数台の電力量計を収納する場合に何れの窓孔にも同じ窓枠を取り付けることができ、窓枠の共通化が図れて製造作業が容易になるとともに製造コストが抑制できるという効果がある。
【図面の簡単な説明】
【図１】実施形態を示す分解斜視図である。
【図２】同上の斜視図である。
【図３】同上におけるベースの背面図である。
【図４】同上におけるベースの前面図である。
【図５】同上におけるベースの前面図である。
【図６】同上の要部分解斜視図である。
【図７】同上における窓枠を取り付けた状態のカバーの側面断面図である。
【図８】同上における窓枠を取り付けた状態のカバーの上面断面図である。
【図９】同上における窓枠を取り付けた状態のカバーの前面図である。
【図１０】同上における窓枠を取り付けた状態のカバーの背面図である。
【図１１】同上における窓枠を上下逆向きに取り付けた状態のカバーの前面図である。
【図１２】同上の他の構成を示す斜視図である。
【図１３】同上におけるカバーの他の構成を示す上面断面図である。
【図１４】同上におけるカバーの他の構成を示す下面断面図である。
【図１５】同上における２つのベースを重ね合わせた状態を示す斜視図である。
【図１６】同上におけるベースの要部分解斜視図である。
【図１７】同上における２つのベースを重ね合わせた状態を示す側面断面図である。
【符号の説明】
１  ベース
２０  カバー
２１  窓孔
２４  凹部
２５ａ，２５ｂ  傾斜面
３０  窓枠
３１  露出孔
３２ａ，３２ｂ  傾斜面
【図１】
0003539266.tif 000002
【図２】
0003539266.tif 000003
【図３】
0003539266.tif 000004
【図４】
0003539266.tif 000005
【図５】
0003539266.tif 000006
【図６】
0003539266.tif 000007
【図７】
0003539266.tif 000008
【図８】
0003539266.tif 000009
【図９】
0003539266.tif 000010
【図１０】
0003539266.tif 000011
【図１１】
0003539266.tif 000012
【図１２】
0003539266.tif 000013
【図１３】
0003539266.tif 000014
【図１４】
0003539266.tif 000015
【図１５】
0003539266.tif 000016
【図１６】
0003539266.tif 000017
【図１７】
0003539266.tif 000018